(57)【特許請求の範囲】
【請求項１】
多孔質材に検体を保持させ、前記多孔質材から前記検体を回収し、前記検体中の成分量を測定する定量分析法であって、
多孔質材として、検体保持用多孔質材の上に、検出可能物質を保持する多孔質材を配置した複合多孔質材を用い、
前記検体は、水性溶媒を含み、
前記検出可能物質は、前記水性溶媒に溶解可能な水溶性色素であり、
前記多孔質材に検体を保持させる際に、前記検体量に応じた検出可能物質も保持させ、前記検出可能物質を保持する多孔質材を通して検体を前記検体保持用多孔質材に移行させることにより、前記検出可能物質も前記検体保持用多孔質材に移行させ、前記検体の回収の際に前記検出可能物質も回収し、回収された前記検出可能物質の量を測定し、その値から前記検体量を決定し、さらにこの値を基準に前記検体中の成分量を決定する定量分析法。
【請求項２】
水溶性色素が、インドシアニングリーン、インジゴカルミンおよびフェノールスルホンフタレインからなる群から選択された少なくとも一つの色素である請求項１記載の定量分析法。
【請求項３】
検体が、生体由来の水性液状検体である請求項１又は２に記載の定量分析法。
【請求項４】
検体が、血液、尿、唾液、リンパ液、髄液、間質液からなる群から選択された少なくとも一つの検体である請求項３に記載の定量分析法。
【請求項５】
請求項１から４のいずれか一項に記載された定量分析法に用いる検体保持用具であって、
検体保持用多孔質材の上に、検出可能物質を保持する多孔質材が配置され、
前記検出可能物質は、水性溶媒に溶解可能な水溶性色素であり、
前記検出可能物質を保持する多孔質材を通して検体を前記検体保持用多孔質材に保持させる検体保持用具。
【請求項６】
分析対象が、血漿または血清中の成分であり、検出可能物質を保持する多孔質材の上に、血球分離材が配置されている請求項５記載の検体保持用具。
【請求項７】
分析対象が、血漿または血清中の成分であり、検出可能物質を保持する多孔質材が、血球分離機能を有する請求項５記載の検体保持用具。
【請求項８】
検出可能物質が、インドシアニングリーン、インジゴカルミンおよびフェノールスルホンフタレインからなる群から選択された少なくとも一つの色素である請求項５から７のいずれか一項に記載の検体保持用具。
【発明の詳細な説明】
【０００１】
【発明が属する技術分野】
本発明は、未知量の検体中に存在する成分量を決定する定量分析法およびそれに用いる検体保持用具に関する。
【０００２】
【従来の技術】
従来、患者は、各種病気の治療や診断のために、医療機関に出向き、血液や尿等を採取して検査してもらう必要があった。しかし、次回の受診まで待つか、または、長時間待たなければ、これらの検査結果を得ることはできないため、患者や医療機関にとって非常に手間がかかるという問題があった。
【０００３】
近年、このような問題を回避するために、濾紙等から形成された検体採取用カードが提案されており、例えば、特開平１０−１０４２２６号公報には、採血カードが開示されている。患者は、例えば、この採血カードに自分自身で採血した血液を含浸・乾燥させ、これを医療機関に郵送する。これを受け取った医療機関は、前記採血カードの血液含浸部分を切り抜き、これから血液を抽出して、各検査項目についての検査を行なう。そして、患者が医療機関に来た時に、前記検査結果に基づいて治療や診断を行なう。
【０００４】
このような採血カードを使用する場合、例えば、患者自身が前述のように採血を行なうため、前記採血カードに含浸させる血液量は未知量であり、血液中の成分量を正確に定量することは困難であった。そこで、例えば、一定面積に一定量の血液を保持する濾紙を使用し、前記濾紙の血液含浸部分を一定面積切り出すことによって一定量の血液試料を確保する方法や、一定量の血液を保持する一定面積の濾紙を使用し、前記濾紙に飽和保持量の血液を供給することによって一定量の血液試料を確保する方法等が提案されている。
【０００５】
【発明が解決しようとする課題】
しかしながら、前述のような濾紙には、以下に示すような問題がある。例えば、前者の濾紙を用いた場合、切り出した濾紙全体に血液が含浸されている必要があるため、切り出し部分の選択や、切り出しの操作が困難である。また、後者の濾紙に飽和保持量の血液を含浸させる場合、実際には、飽和保持量以上の血液を供給して充分に血液を含浸させる必要があるため、手間もかかり患者の負担が大きくなる。さらに、これらの定量性濾紙は、その定量性を向上させるためには、その製造自体が非常に複雑困難となり、コストも高くなる。
【０００６】
そこで、本発明の目的は、未知量の検体を用いる場合でも、検体中の成分量を精度よく測定できる定量分析法およびそれに用いる検体保持用具の提供である。
【０００７】
【課題を解決するための手段】
前記目的を達成するために、本発明の定量分析法は、多孔質材に検体を保持させ、前記多孔質材から前記検体を回収し、前記検体中の成分量を測定する定量分析法であって、前記多孔質材に検体を保持させる際に、前記検体量に応じた検出可能物質も保持させ、前記検体の回収の際に前記検出可能物質も回収し、回収された前記検出可能物質の量を測定し、その値から前記検体量を決定し、さらにこの値を基準に前記検体中の成分量を決定する方法である。
【０００８】
本発明の定量分析法では、前記多孔質材に検体を保持させるだけでなく、前記検体量に応じた検出可能物質を保持させ、この量も測定する。このようにすれば、前記多孔質材に保持された検体量が未知量であっても、同様に保持された検出可能物質を測定することにより、その測定値を前記検体量の基準にすることができる。例えば、予め、保持される検体量と回収される検出可能物質量との比率を求めておけば、前述のように検出可能物質の測定値から検体量を求めることができる。このため、本発明の定量分析法によれば、検体量を優れた精度で求めることができ、検体中の成分量の定量性が向上する。さらに、本発明は、定量性を向上させるために、例えば、特殊な多孔質材等を使用する必要がないため、低コスト化を図ることも可能である。また、その定量操作も簡便であり、例えば、臨床医療等における各種検査に有用である。
【０００９】
本発明の定量分析法において、前記多孔質材として、検体保持用多孔質材の上に、検出可能物質を保持する多孔質材（以下、「検出可能物質保持多孔質材」という）を配置した複合多孔質材を用い、前記検出可能物質保持多孔質材を通して検体を前記検体保持用多孔質材に移行させることにより、前記検出可能物質も前記検体保持用多孔質材に移行させることが好ましい。このように、検体の移行により、前記検出可能物質を移行させれば、検体量に応じて前記検出可能物質を移行できる。
【００１０】
本発明の定量分析法において、前記検体が水性溶媒を含み、前記検出可能物質が前記水性溶媒に溶解可能であることが好ましい。これによれば、前記検出可能物質は、移行する検体に接触することにより、前記検体に溶解され、前記検体と伴に移行することができる。なお、前記検出可能物質は、前記水性溶媒に溶解可能である物質には特に制限されず、この他にも、例えば、検体の移行により物理的に前記検出可能物質保持多孔質材から遊離されるものであってもよい。
【００１１】
本発明の定量分析法において、前記検出可能物質が水溶性色素であることが好ましく、前記水溶性色素としては、例えば、インドシアニングリーン（以下、「ＩＣＧ」という）、インジゴカルミン、フェノールスルホンフタレイン（以下、「ＰＳＰ」という）等の色素があげられる。この中でも、例えば、各種分析対象成分を光学的手法により検出する場合、一般的な検出波長と異なる近赤外波長に吸収領域を有し、前記分析対象成分の検出を妨げないことから、ＩＣＧが好ましい。
【００１２】
本発明の定量分析法において、前記検体が、生体由来の水性液状検体であることが好ましく、例えば、血液、尿、唾液、リンパ液、髄液、間質液等があげられる。このような生体試料の定量に本発明を適用すれば、例えば、臨床医療における各種診断等を精度よく行なうことができる。
【００１３】
つぎに、本発明の検体保持用具は、検体保持用多孔質材の上に、検出可能物質保持多孔質材が配置され、前記検出可能物質保持多孔質材を通して検体を前記検体保持用多孔質材に保持させるという構成を有する。この検体保持用具を用いれば、前述の本発明の定量分析法を容易に優れた精度で行なうことができる。また、前記検出可能物質を多孔質材に保持させるには、例えば、前記検出可能物質を水等に溶解または分散させ、この液を多孔質材に滴下したり、前記液に多孔質材を含浸させた後、乾燥するだけでよく、非常に容易かつ低コストで調製することができる。本発明の検体保持用具は、例えば、臨床医療における検査等に有用であり、前述のように、患者自身が採取した検体をこの検体保持用具に含浸・乾燥させ、これを医療機関に輸送すれば、簡便に検体中成分の定量分析を行なうことができるため、患者と医療機関の両方の手間を省くことができる。
【００１４】
本発明の検体保持用具において、分析対象が血漿または血清中の成分である場合、前記検体保持用多孔質材の上に血球分離材が配置されていることが好ましく、より好ましくは、血球分離能を充分に発揮できることから、前記検出可能物質保持多孔質部材の上に、血球分離材が配置されている構成である。また、このような構成には限定されず、例えば、前記検出可能物質保持多孔質材が、血球分離機能を有することも好ましい。この構成によれば、血球分離材と検出可能物質保持多孔質材とが同一の層となるため、さらに低コスト化を図ることができる。このように血球分離能を有する本発明の検体保持用具を使用すれば、例えば、全血を添加するだけで血球分離を行なうことができ、操作の簡略化を図ることができる。
【００１５】
本発明の検体保持用具において、前記検出可能物質が、前記定量分析法と同様に、ＩＣＧ、インジゴカルミン、ＰＳＰ等の色素であることが好ましく、より好ましくはＩＣＧである。
【００１６】
【発明の実施の形態】
図１に本発明の検体保持用具の一例を示す。図示のように、この検体保持用具には、検体保持用多孔質材１の上に検出可能物質保持多孔質材２が配置されている。
【００１７】
検体保持用多孔質材１の大きさは、例えば、保持する検体量に応じて適宜決定できるが、例えば、保持する検体量が、約１０〜１００μｌの場合、全長１〜１００ｍｍの範囲、幅１〜１００ｍｍの範囲、厚み１０〜１０００μｍの範囲であり、検出可能物質保持多孔質材２の大きさは、例えば、全長１〜１００ｍｍの範囲、幅１〜１００ｍｍの範囲、厚み１０〜１０００μｍの範囲である。
【００１８】
検体保持用多孔質材１の材料は、特に制限されないが、例えば、濾紙、ガラスフィルター、樹脂製の多孔質膜等が使用でき、この中でも、コストや取り扱いの簡便性等の点から濾紙が好ましい。この検体保持用多孔質材１の平均孔径は、検体が浸透し、かつ保持されれば、特に制限されないが、例えば、０．１〜１００μｍの範囲である。
【００１９】
また、検体保持用多孔質材１は、保持する検体中の成分を安定に保つために、例えば、スクロース、トレハロース、ラクトース、グルコース等の糖類、グリシン、塩化ナトリウム、塩化カリウム等の塩類、リン酸緩衝剤、クエン酸緩衝剤、グッド緩衝剤等の緩衝剤等の安定化剤を含有してもよい。前記安定化剤の含有量は、その種類等によって適宜決定できるが、例えば、検体保持用多孔質材１の体積１ｃｍ3当たり０．０１〜１０ｍｇの範囲である。
【００２０】
検出可能物質保持多孔質材２の材料は、前記検出可能物質が保持できれば、特に制限されないが、例えば、樹脂製の多孔質膜、濾紙、ガラスフィルター、メッシュ、布、ゲル等が使用できる。前記樹脂製多孔質膜の材料としては、例えば、ポリスルホン、ポリエステル、ナイロン、ニトロセルロース、ポリカーボネート等があげられる。また、その平均孔径は、検体および検出可能物質が浸透・透過すれば、特に制限されないが、例えば、０．１〜１００μｍの範囲である。
【００２１】
前記検出可能物質としては、例えば、前述のような水溶性色素等が使用できるが、分析対象成分と反応せず、かつ分析対象成分の検出を妨げないものであればよく、特に制限されない。
【００２２】
例えば、光学的手法により分析対象成分の検出を行なう場合、前記検出可能物質は、前記分析対象成分の検出波長領域とは異なる波長領域に吸収を有するものが好ましい。また、前述のような色素等には制限されず、例えば、呈色していない（例えば、無色）基質や、そのままでは吸収波長を有さない基質等も使用できる。このような基質は、その検出段階において、例えば、酵素反応や化学反応等によって呈色させること等により検出することができる。
【００２３】
検出可能物質保持多孔質材２における前記検出可能物質の保持量は、前記検出可能物質の種類等によって適宜決定できるが、例えば、前記多孔質材の体積１ｃｍ3当たり０．１〜１００００μｇの範囲、好ましくは、１〜１０００μｇの範囲である。具体的には、検出可能物質がＩＣＧの場合、例えば、多孔質材の体積１ｃｍ3当たり１〜１０００μｇの範囲、好ましくは、１０〜５００μｇの範囲である。
【００２４】
前記多孔質材への前記検出可能物質の保持は、例えば、前記検出可能物質を水に溶解・分散した液を多孔質材に滴下したり、前記液中に多孔質材を浸漬した後、乾燥させればよい。前記液は、例えば、濃度１〜１００００ｍｇ／リットルの範囲になるように調製する。乾燥処理は、例えば、自然乾燥でも風乾でもよく、その処理条件は、例えば、温度１〜２００℃の範囲であり、処理時間１０秒〜３日の範囲である。
【００２５】
この検体保持用具は、例えば、検体保持用多孔質材１の上に検出可能物質保持多孔質材２を積層するだけでもよいし、前記両者を、検体および検出可能物質の移行を妨げない範囲で、接着剤等を用いて一体化してもよい。
【００２６】
つぎに、図１に基づき、検体として尿、検出可能物質としてＩＣＧをそれぞれ使用して、この検体保持用具により定量分析を行なう一例について、説明する。
【００２７】
まず、尿を検出可能物質保持多孔質材２の上に滴下する。すると、尿は、この検出可能物質保持多孔質材２の内部を厚み方向に移行しながら、ＩＣＧと接触する。ＩＣＧは、接触する尿の量に応じて溶解され、前記尿と共に検出可能物質保持多孔質材２を厚み方向に移行して、前記両者は検体保持用多孔質材１に到達し、これに含浸される。
【００２８】
この検体保持用具を、風乾または自然乾燥等により乾燥した後、前記検体保持用具から検出可能物質保持多孔質材２を除去し、検体保持用多孔質材１の検体含浸部分の切り抜きまたは打ち抜き等を行なう。打ち抜きには、例えば、パンチ等が使用できる。打ち抜き等の大きさは、特に制限されないが、例えば、直径１〜３０ｍｍの範囲である。また、打ち抜く箇所は、検体含浸部分を多く含んでいることが好ましいが、本発明によれば、打ち抜く箇所やその面積には関係なく検体量を定量できるため、例えば、前述のような定量性濾紙とは異なり、検体を含浸していない部分を含んでいても定量性には問題ない。
【００２９】
打ち抜き等により得られた切片を、例えば、チューブ等に入れ、これに抽出溶液を添加して放置することにより、尿およびＩＣＧを抽出して回収する。前記抽出溶液としては、前記両者を抽出でき、検体中の分析対象成分の検出に影響を与えないものであれば特に制限されず、例えば、緩衝液、生理食塩水、精製水、蛋白溶液等が使用できる。前記緩衝液としては、例えば、リン酸、クエン酸、塩酸、酢酸等を含む各種緩衝液等があげられ、そのｐＨは、例えば、ｐＨ３〜９の範囲である。前記抽出溶液の添加量は、例えば、その量が既知であれば特に制限されないが、例えば、切片の大きさ等によって適宜決定でき、例えば、切片の体積の１〜１０００倍の範囲である。なお、さらに定量性を向上できることから、例えば、切片の大きさに対する前記抽出溶液の添加量を、一定にすることが好ましい。また、抽出処理時間は、特に制限されないが、例えば、１〜３００分の範囲である
【００３０】
次に、前記回収液におけるＩＣＧ量を測定し、その測定量から尿の量を求める。例えば、予め、様々な既知量の尿の標準液（例えば、検体が血液の場合、標準液は血液とする）と前記検体保持用具とを用いて、同様にして前記標準液とＩＣＧとを一定量の抽出液を用いて回収し、回収液中のＩＣＧ量を測定することにより、前記標準液量とＩＣＧ量との関係を示す検量線を作成し、この検量線と前記回収液中のＩＣＧ量とから尿の量を求めることができる。ＩＣＧの検出手段としては、例えば、光学的手段があげられ、波長７００〜８５０ｎｍの範囲における吸光度を測定することにより検出できる。なお、検出可能物質の検出手段は、検出可能物質の種類によって適宜決定できるが、前述のような直接的な光学的手段の他に、例えば、発色反応等を利用した間接的な光学的手段、バイオセンサーによる電気化学的手段、氷点降下法による手段等も採用できる。
【００３１】
そして、前記回収液を用いて、尿中の分析対象成分の測定を行ない、前記尿の量の値を基準として、尿検体中の成分量を決定することができる。
【００３２】
つぎに、本発明の検体保持用具において、前記図１に示す検出可能物質保持多孔質材２の上に血球分離材３が配置されている一例を図２に示す。図２において、図１と同一部分には同一符号を付している。
【００３３】
血球分離材３は、例えば、分析対象が全血中の血漿または血清成分であり、血球を取り除く必要がある場合に設ける任意の構成要素である。
【００３４】
血球分離材３の大きさは、特に制限されないが、例えば、全長１〜１００ｍｍの範囲、幅１〜１００ｍｍの範囲、厚み１〜１０００μｍの範囲である。
【００３５】
血球分離材３の材料は、特に制限されず、例えば、ガラスフィルター、樹脂製多孔質膜等が使用でき、前記樹脂製多孔質膜の材料としては、例えば、ポリスルホン、ポリエステル、ナイロン、ニトロセルロース、ポリカーボネート等があげられる。また、その平均孔径は、血球が分離できれば、特に制限されず、例えば、０．１〜１００μｍの範囲である。また、その孔構造が、例えば、膜の一方の面から他方の面に向って、連続的または段階的に孔径が変化する孔構造（異方性孔径傾斜構造）である多孔質膜を用いることもできる。
【００３６】
なお、このように血球分離を行なうことができる本発明の検体保持用具としては、例えば、図３に示すように、血球分離能を有する検出可能物質保持多孔質材４が検体保持用多孔質材１の上に配置された構成でもよい。この血球分離能を有する検出可能物質保持多孔質材４は、例えば、前記血球分離材３の材料に、前述と同様にして検出可能物質を保持させることにより製造できる。
【００３７】
つぎに、検体が全血であり、血漿中の特定成分を分析対象とする場合に、検出可能物質としてＩＣＧを使用して、前記図２または図３に示す検体保持用具により定量分析を行なう例について説明する。なお、特に示さない限りは、前記図１に示す検体保持用具を用いた定量分析と同様にして測定を行なうことができる。
【００３８】
前記図２に示す検体保持用具を使用する場合、血球分離材３の上に全血を滴下すると、全血は、この血球分離材３の内部を厚み方向に移行しながら、血球分離材３の孔構造により血球が捕捉され、血球と血漿とに分離される。分離された血漿は、血球分離材３を通過し、検出可能物質保持多孔質材２に達し、これに含浸される。そして、含浸した血漿は、検出可能物質保持多孔質材２を移行しながらＩＣＧと接触する。ＩＣＧは、接触する血漿量に応じて溶解され、前記血漿と伴に検出可能物質保持多孔質材２内部を移行し、血漿と伴に検体保持用多孔質材１に達し、これに含浸される。また、前記図３に示す検体保持用具を使用する場合、血球分離能を有する検出可能物質保持多孔質材４の上に全血を滴下すると、全血は、前記多孔質材４の内部を厚み方向に移行しながら、前述のように血球と血漿とに分離される。さらに、この分離と同時に、全血中の血漿成分と接触したＩＣＧは、前述と同様に、血漿量に応じて溶解され、前記血漿と共に前記多孔質材４内部を移行する。そして、ＩＣＧおよび血漿は、検体保持用多孔質材１に達し、これに含浸される。
【００３９】
【実施例】
以下に示すようにして、前記図３に示すような検体保持用具を作製し、これを用いて血漿中の各種成分の測定およびＩＣＧの測定を行なった。
【００４０】
（検体保持用具の作製）
ＩＣＧ（Ｌｏｔ．ＧＧ０１：東京化成社製）を濃度２００ｍｇ／１００ｍｌになるように水に溶解してＩＣＧ溶液を調製した。そして、このＩＣＧ水溶液７５μｌを、厚み３２０μｍ、１５×１５ｍｍのポリスルホン多孔質膜（ＢＴＳ−ｓｐ、Ｌｏｔ．９０４３ＰＬ２：ＵＳフィルター社製）にオートピペットを用いて滴下した後、常温（約２５℃）・常湿（約６０％）で一晩放置して風乾させ、これを血球分離能を有するＩＣＧ保持多孔質材４とした。
【００４１】
スクロース（ナカライテスク社製）を、濃度２５０ｇ／リットルになるように生食等張ＰＢＳ溶液（Phosphate−buffered  saline：ｐＨ７．４）に溶解して、スクロース／ＰＢＳ溶液を調製した。そして、濾紙（ＢＦＣ１８０：ワットマン社製）を前記スクロース／ＰＢＳ溶液中に浸漬させた後、常温（約２５℃）・常湿（約６０％）に一晩放置して風乾させ、これを血漿保持多孔質材１とした。そして、前記血漿保持多孔質材１上に前記血球分離能を有するＩＣＧ保持多孔質材４を配置して、これを検体保持用具とした。この検体保持用具を用いて、以下のようにして血漿試料を調製した。
【００４２】
（血漿試料の調製）
ヘパリン入り採血管（インセパック−Ｅ：積水化学工業社製）を用いて全血を採血し、これを検体とした。前記検体１５０μｌを前記血液保持用具の血球分離能を有するＩＣＧ保持多孔質材４表面に滴下して、温度２５℃で１時間乾燥させた。そして、前記血液保持用具から前記血球分離能を有するＩＣＧ保持多孔質材４を除去し、血漿保持多孔質材１の血漿含浸部分を、文具用パンチを用いて直径６ｍｍの大きさに無作為に打ち抜き、この切片を１．５ｍｌ容量のディスポチューブに入れた。さらに、抽出溶液として前記ＰＢＳ溶液３００μｌを添加して室温で２０分間放置した後、上清をとり出し、これを血漿試料液とした。そして、同様にして合計２０個の血漿試料液を調製した。なお、血漿含浸部の打ち抜きは、血漿濃度がばらつくように行なった。
【００４３】
これらの血漿試料液を用いて、以下に示す方法により、ＩＣＧ量および下記各種成分量の測定を行なった。ＩＣＧは、前記血漿試料液の波長８０５ｎｍにおける吸収を、自動分析機（ＢＭ−８：日本電子社製）を用いてそれぞれ測定した。グルコース（以下、「Ｇｌｃ」という）は、グルコースII−ＨＡテストワコー（和光純薬工業社製）、トータルコレステロール（以下、「ＴＣ」という）は、デタミナーＬ  ＴＣII（協和メデックス社製）、グルタミック−ピルビックトランスアミナーゼ（以下、「ＧＰＴ」という）は、トランスアミナーゼＨＲ−II（ＧＰＴ−７０７０：和光純薬工業社製）、アルカリホスファターゼ（以下、「ＡＬＰ」という）は、ＡＬＰII−ＨＡテストワコー（７１５０：和光純薬工業社製）、クレアチンキナーゼ（以下、「ＣＰＫ」という）は、ＣＫ  Ｅ−ＨＡテストワコー（和光純薬工業社製）、アミラーゼ（以下、「Ａｍｙ」という）は、ＡｍｙII−ＨＡテストワコー（和光純薬工業社製）、クレアチニン（以下、「Ｃｒｅ」という）は、ピュアオートＳ  ＣＲＥ−Ｎ（第一化学薬品社製）、尿素窒素（以下、「ＢＵＮ」という）は、尿素窒素II−ＨＡテストワコー（７０７０：和光純薬工業社製）、トリグリセライド（以下、「ＴＧ」という）は、トリグリセライドＥ−ＨＡテストワコー（和光純薬工業社製）およびＨＤＬ−コレステロール（以下、「ＨＤＬ−Ｃ」という）は、コレテストＨＤＬ（第一化学薬品社製）をそれぞれ使用し、それらの使用方法に準じて測定した。なお、各種測定において、ブランクは精製水を用いた。これらの各種成分量の結果を、ＩＣＧ量の結果と併せて図４〜図１３にそれぞれ示す。各図は、血漿試料液における各成分濃度とＩＣＧ濃度との相関関係を示すグラフであり、図中の式は、前記相関関係を表す式、Ｒ2は相関係数をそれぞれ示す。
【００４４】
図４〜図１３に示すように、血漿中の各種成分濃度とＩＣＧ濃度との間には、高い相関性が見られた。これは、ＩＣＧ量と血漿量とが比例関係にあり、ＩＣＧ量が多いということは、血漿量も多いということであり、この血漿量に応じて各種成分の量も多くなったということである。これらの結果からわかるように、検体と伴にＩＣＧ等の検出可能物質を多孔質材に保持させ、その回収液中の検体量を測定すれば、例えば、予め作成した検量線から検体量を決定することができ、分析対象成分量の定量性が向上する。なお、ＩＣＧ濃度が高くなると相関性が低下するが、これは血漿試料をさらに希釈して測定することにより解消される。
【００４５】
【発明の効果】
以上のように、本発明の定量分析法によれば、検体量を決定できるため、検体中の成分の定量性が向上する。このような本発明の定量分析法は、例えば、臨床医療における診断等に有用である。
【図面の簡単な説明】
【図１】本発明の検体保持用具の一実施形態を示す断面図である。
【図２】本発明の検体保持用具のその他の実施形態を示す断面図である。
【図３】本発明の検体保持用具のさらにその他の実施形態を示す断面図である。
【図４】本発明の一実施例において、血漿試料中のＩＣＧ濃度とグルコース濃度との相関関係を示すグラフである。
【図５】本発明の前記実施例において、血漿試料中のＩＣＧ濃度とＴＣ濃度との相関関係を示すグラフである。
【図６】本発明の前記実施例において、血漿試料中のＩＣＧ濃度とＧＰＴ濃度との相関関係を示すグラフである。
【図７】本発明の前記実施例において、血漿試料中のＩＣＧ濃度とＡＬＰ濃度との相関関係を示すグラフである。
【図８】本発明の前記実施例において、血漿試料中のＩＣＧ濃度とＣＰＫ濃度との相関関係を示すグラフである。
【図９】本発明の前記実施例において、血漿試料中のＩＣＧ濃度とＡｍｙ濃度との相関関係を示すグラフである。
【図１０】本発明の前記実施例において、血漿試料中のＩＣＧ濃度とＣｒｅ濃度との相関関係を示すグラフである。
【図１１】本発明の前記実施例において、血漿試料中のＩＣＧ濃度とＢＵＮ濃度との相関関係を示すグラフである。
【図１２】本発明の前記実施例において、血漿試料中のＩＣＧ濃度とＴＧ濃度との相関関係を示すグラフである。
【図１３】本発明の前記実施例において、血漿試料中のＩＣＧ濃度とＨＤＬ−Ｃ濃度との相関関係を示すグラフである。
【符号の説明】
１  検体保持用多孔質材
２  検出可能物質保持多孔質材
３  血球分離材
４  血球分離能を有する検出可能物質保持多孔質材
【図１】
0004206461.tif 000002
【図２】
0004206461.tif 000003
【図３】
0004206461.tif 000004
【図４】
0004206461.tif 000005
【図５】
0004206461.tif 000006
【図６】
0004206461.tif 000007
【図７】
0004206461.tif 000008
【図８】
0004206461.tif 000009
【図９】
0004206461.tif 000010
【図１０】
0004206461.tif 000011
【図１１】
0004206461.tif 000012
【図１２】
0004206461.tif 000013
【図１３】
0004206461.tif 000014